(57)【要約】【課題】本発明は奥行き方向の長さが同一で、幅・厚さが異なる別々の２枚のカードを挿入するだけ接続可能な接続構造のカードコネクタを提供する。【解決手段】本目的は２枚のメモリカード６０、６２の接点と接触するコンタクト１４、１６と、メモリカード６０、６２が挿入される挿入口２４を有するとともにコンタクト１４、１６が配列・保持されるハウジング１２とハウジング１２を覆うシェル１８とを備えるカードコネクタ１０において、ハウジング１２は２つの側壁２６と奥壁２８とこれらの側壁２６と奥壁２８と連設する下壁３０とを有するとともに２つの側壁２６と奥壁２８と下壁３０によりメモリカード６０、６２の挿入口２４を形成し、ハウジング１２に回動可能なプレート２０を装着し、プレート２０が回動することによりどちらか一方のカードが挿入される挿入口２４を形成するとともに他方のカードの挿入を防止することにより達成できる。【選択図】  図１
2008021484.tif 000002
【特許請求の範囲】
【請求項１】
２枚のメモリカードが着脱自在に挿抜されるカードコネクタであって、メモリカードの接点と接触するコンタクトと、メモリカードが挿入される挿入口を有するとともに前記コンタクトが配列・保持されるハウジングと該ハウジングを覆うシェルとを備えるカードコネクタにおいて、
前記ハウジングは２つの側壁と奥壁とこれらの側壁と奥壁と連設する下壁とを有するとともに２つの側壁と奥壁と下壁により前記メモリカードの挿入口を形成し、前記ハウジングに回動可能なプレートを装着し、該プレートが回動することによりどちらか一方のカードが挿入される挿入口を形成するとともに他方のカードの挿入を防止することを特徴とするカードコネクタ。
【請求項２】
前記プレートに回動抑止手段を設けることを特徴とする請求項１記載のカードコネクタ。
【請求項３】
一方のカードに対応するコンタクトＡの接続部は前記カード挿入方向と反対側に突出し、もう一方のカードに対応するコンタクトＢの接続部は前記カード挿入方向側に突出し、前記プレートには前記コンタクトＡが挿入される係止孔と前記コンタクトＡの先端部分と係合する係合部とを設けることを特徴とする請求項１または２記載のカードコネクタ。
【請求項４】
前記プレートに誘い部を設けるとともに前記ハウジングの側壁内側にガイド溝を設けることを特徴とする請求項１、２または３記載のカードコネクタ。
【請求項５】
奥行き方向の長さがほぼ同一の２枚のカードに対応することを特徴とする請求項１から４項のうちいずれか１項記載のカードコネクタ。
【発明の詳細な説明】
【技術分野】
【０００１】
この発明は、携帯電話・ＰＤＡやプリンター・カードリーダーなどの各種電子・電気機器に使用され、メモリカードを挿入してメモリカードと信号入出力可能なカードコネクタに関するもので、特に奥行き方向の長さが同一で、幅・厚さが異なる別々の２枚のカードを挿入するだけ接続可能な接続構造に関するものである。
【背景技術】
【０００２】
近年、小型の携帯電話やデジタルカメラ等の普及に伴って記憶容量が大きく且つコンパクトな形状からなるメモリカードが用いられるようになった。メモリカードも、メモリカードを利用する機器の特性等によって、例えばＳＤ（Secure Digital memory card、登録商標）カード（以下単にＳＤカードという。）、メモリースティック（登録商標）カード（以下単にＭＳカードという。）、MMCカード（MMC card、登録商標）等でさらに小型化されたＭｉｃｒｏタイプのＳＤ  Ｍｉｃｒｏ（登録商標）カード、メモリースティック  Ｍｉｃｒｏ（登録商標）カード、Ｍｉｃｒｏ  MMCカード（登録商標）が用いられるようになった。これに伴い、これら種々のメモリカードへ書込み／読込みを行う装置として、メモリカードリーダライタが、コンピュータ本体内に、或は、外部機器として用いられている。
【０００３】
トレイ方式を用いたものとして、特許文献１（特開２００６−１２７８０８）と特許文献２（特願２００５−１２３２５２）を示す。
【特許文献１】特開２００６−１２７８０８の要約によると、トレイとスライド部材とがコンパクトに配置された小型のカード用コネクタ装置を提供することを目的とし、本発明のカード用コネクタ装置１は、カードＣが載置されるトレイ１０と、ハウジング２に対してトレイ１０と共に移動可能なスライド部材１２とを備え、トレイ１０は、カードＣの挿入方向に位置する後端部の角部に、切り欠き部１０ｃを有しており、この切り欠き部１０ｃによって形成された空間にスライド部材１２の少なくとも一部１２ｂが配置されている構造のカード用コネクタが開示されている。
【特許文献２】特願２００５−１２３２５２の要約によると、簡単な構造で、コネクタの低背化が可能なカードコネクタ１０を提供することを目的とし、少なくとも２枚以上のカード６０と接続するカードコネクタ１０において、カード６０数に対応するコンタクト１４と、少なくとも２枚以上のカード６０が設置可能なトレイ１６と、トレイ１６が入る１つの嵌合口２０を有するとともに前記コンタクト１４が保持・配列されるハウジング１２とを備えることにより達成でき、４枚のカード６０と接続するカードコネクタ１０においては４種類のコンタクト１４と、４枚のカード６０が設置可能なカード装着部２２を有するトレイ１６と、トレイ１６が入る１つの嵌合口２０を有するとともに４種類のコンタクト１４が保持・配列されるハウジング１２とを備える構造のカードコネクタが開示されている。
【発明の開示】
【発明が解決しようとする課題】
【０００４】
近年、機器の小型化が進む中、コネクタの小型化要求もより一層強くなってきており、コネクタが軽薄短小化も進んできている。一方、仕様によっては、コネクタの高さ方向に余裕があり、コネクタの大きさ（基板占有面積）には制限がある場合がある。
しかし、上述したトレイ方式では、１つのトレイを使用する場合、コネクタが大きく（基板占有面積）なってしまっていた。また、コネクタを大きく（基板占有面積）しないように別のトレイを準備すると管理コストが増えてしまい、かつ、トレイ挿入時に間違ったトレイを挿入してしまうといった課題があった。
【０００５】
本発明は、このような従来の問題点に鑑みてなされたもので、奥行き方向の長さが同一で、幅・厚さが異なる別々の２枚のカードを挿入するだけ接続可能な接続構造のカードコネクタを提供せんとするものである。
【課題を解決するための手段】
【０００６】
本目的は、２枚のメモリカード６０、６２が着脱自在に挿抜されるカードコネクタ１０であって、メモリカード６０、６２の接点と接触するコンタクト１４、１６と、メモリカード６０、６２が挿入される挿入口２４を有するとともに前記コンタクト１４、１６が配列・保持されるハウジング１２と該ハウジング１２を覆うシェル１８とを備えるカードコネクタ１０において、前記ハウジング１２は２つの側壁２６と奥壁２８とこれらの側壁２６と奥壁２８と連設する下壁３０とを有するとともに２つの側壁２６と奥壁２８と下壁３０により前記メモリカード６０、６２の挿入口２４を形成し、前記ハウジング１２に回動可能なプレート２０を装着し、該プレート２０が回動することによりどちらか一方のカードが挿入される挿入口２４を形成するとともに他方のカードの挿入を防止することにより達成できる。
【０００７】
請求項２記載のカードコネクタ１０は、前記プレートに回動抑止手段を設ける。
また、請求項３記載のカードコネクタ１０は、一方のカード６０に対応するコンタクトＡ１４の接続部１４３は前記カード挿入方向と反対側に突出し、もう一方のカード６２に対応するコンタクトＢ１６の接続部１６３は前記カード挿入方向側に突出し、前記プレート２０には前記コンタクトＡ１４が挿入される係止孔４２と前記コンタクトＡ１４の先端部分１４４と係合する係合部４４とを設ける。
さらに、請求項４記載のカードコネクタ１０は、前記プレート２０に誘い部４０を設けるとともに前記ハウジング１２の側壁２６内側にガイド溝３４を設ける。
請求項５記載のカードコネクタ１０は、奥行き方向の長さがほぼ同一の２枚のカードに対応する。
一方のカードを挿入した際に、前記プレート２０が回動（回転）し、前記プレート２０によってアンテナ端子２２が前記コンタクトＢ１６側に押圧される。
【発明の効果】
【０００８】
以上の説明から明らかなように、本発明のカードコネクタ１０によると、次のような優れた顕著な効果が得られる。
（１）２枚のメモリカード６０、６２が着脱自在に挿抜されるカードコネクタ１０であって、メモリカード６０、６２の接点と接触するコンタクト１４、１６と、メモリカード６０、６２が挿入される挿入口２４を有するとともに前記コンタクト１４、１６が配列・保持されるハウジング１２と該ハウジング１２を覆うシェル１８とを備えるカードコネクタ１０において、前記ハウジング１２は２つの側壁２６と奥壁２８とこれらの側壁２６と奥壁２８と連設する下壁３０とを有するとともに２つの側壁２６と奥壁２８と下壁３０により前記メモリカード６０、６２の挿入口２４を形成し、前記ハウジング１２に回動可能なプレート２０を装着し、該プレート２０が回動することによりどちらか一方のカードが挿入される挿入口２４を形成するとともに他方のカードの挿入を防止しているので、簡単な構造で、幅・厚さが異なる別々の２枚のカードのうちいずれか一方を挿入するだけで安定した接続が可能であり、かつ、１枚のカードしか挿入できなく、トレイを用いていないため挿入するカード（トレイ）を間違えることがない。
（２）請求項２記載のカードコネクタ１０は、前記プレートに回動抑止手段を設けているので、上側に入るカード６０の挿入が容易になり、かつ、上側の挿入されるカード６０の挿入スペースを確保できる。
（３）請求項３記載のカードコネクタ１０は、一方のカード６０に対応するコンタクトＡ１４の接続部１４３は前記カード挿入方向と反対側に突出し、もう一方のカード６２に対応するコンタクトＢ１６の接続部１６３は前記カード挿入方向側に突出し、前記プレート２０には前記コンタクトＡ１４が挿入される係止孔４２と前記コンタクトＡ１４の先端部分１４４と係合する係合部４４とを設けているので、前記コンタクトＡ１４の座屈を防止でき、かつ、容易に下側の挿入されるカード６２の挿入スペースを確保できる。
（４）請求項４記載のカードコネクタ１０は、前記プレート２０に誘い部４０を設けるとともに前記ハウジング１２の側壁２６内側にガイド溝３４を設けているので、容易に上側にカード６０を挿入することができる。
（５）請求項５記載のカードコネクタ１０は、奥行き方向の長さがほぼ同一の２枚のカードに対応しているので、簡単な構造で、幅・厚さが異なる別々の２枚のカードのうちいずれか一方を挿入するだけで安定した接続が可能であり、かつ、１枚のカードしか挿入できない構造である。
（６）一方のカード６０を挿入した際に、前記プレート２０が回動（回転）し、前記プレート２０によってアンテナ端子２２が前記コンタクトＢ１６側に押圧されるので、前記コンタクトＢ１６と前記アンテナ端子２２間の隙間が狭くなるために、前記コンタクトＡ１４と前記アンテナ端子２２との間のノイズ対策に繋がる。
【発明を実施するための最良の形態】
【０００９】
図１から図１１に基づいて、本発明のカードコネクタの一実施例について説明する。図１（Ａ）はカード挿入方向からみた本発明のカードコネクタの斜視図であり、（Ｂ）はカード挿入方向と反対側からみた状態の本発明のカードコネクタの斜視図である。図２（Ａ）はカード挿入方向からみた一方のカードが装着された状態のカードコネクタの斜視図であり、（Ｂ）はカード挿入方向からみたもう一方のカードが装着された状態のカードコネクタの斜視図である。図３（Ａ）はシェルを外した状態のカード挿入方向からみた本発明のカードコネクタの斜視図であり、（Ｂ）はシェルを外した状態のカード挿入方向と反対側からみた状態の本発明のカードコネクタの斜視図である。図４（Ａ）は誘い部方向からみたプレートの斜視図であり、（Ｂ）は誘い部と反対側からみたプレートの斜視図である。図５（Ａ）はコンタクトＡの単体の斜視図であり、（Ｂ）はコンタクトＡを配列した状態の斜視図であり、（Ｃ）はコンタクトＢの単体の斜視図であり、（Ｄ）はコンタクトＢを配列した状態の斜視図の斜視図である。図６（Ａ）はカード挿入方向からみたハウジングの斜視図であり、（Ｂ）はカード挿入方向と反対側からみた状態のハウジングの斜視図である。図７は（Ａ）はカード挿入方向からみたシェルの斜視図であり、（Ｂ）はカード挿入方向と反対側からみた状態のシェルの斜視図である。図８はアンテナ端子の斜視図である。図９（Ａ）はカードが挿入されたない状態のカードコネクタの断面図であり、（Ｂ）は一方のカードが挿入された状態のカードコネクタの断面図であり、（Ｃ）はもう一方のカードが挿入された状態のカードコネクタの断面図である。図１０はコンタクトＡの先端部分がプレートの係合部に係合した状態の部分断面図である。図１１はカードのプッシュアウトを説明する図面である。
一実施例の本発明のカードコネクタ１０は、主にハウジング１２と２種類のコンタクト（コンタクトＡ１４、コンタクトＢ１６）とプレート２０とシェル１８とアンテナ端子２２とを備えている。
【００１０】
構成部品を説明する前に、カードについて説明する。前記カードはプリンターやカードリーダ等に使用されるものであって、前記カードには主にコンタクト１４、１６の接触部１４１、１６１と接触する接触部と該接触部から回路へ繋がるパターンと該パターン上に搭載されたＩＣやＣＰＵと接続する接続部とを備えている。本発明のカードコネクタ１０に使用されるカードとしては、ＳＤ（登録商標）カード、ＭＳ（登録商標）カード、MMCカード（登録商標）やこれらをさらに小型化したＳＤ  Ｍｉｃｒｏ（登録商標）カード、ＭＳ  Ｍｉｃｒｏ（登録商標）カード、Ｍｉｃｒｏ  MMCカード（登録商標）が挙げられる。本発明では、２枚の奥行き方向の長さがほぼ同一のカードに対応するものであり、言うまでもなく２枚の奥行き方向の長さがほぼ同一のカードであれば如何なる組み合わせでもよい。カードには、次のようなものもあり、上記のような条件を満たす組み合わせであれば、本発明の構造を取ることが可能である。ＳＩＭカード（登録商標）（Ｓｕｂｓｃｒｉｂｅｒ  Ｉｄｅｎｔｉｔｙ  Ｍｏｄｕｌｅ）、マルチメディアカード（登録商標）、Mini−ＳＤカード（Mini  Secure  Digital  memory  card、登録商標）、コンパクトフラッシュ（登録商標）、ｘDカード（登録商標）、RS−MMCカード（Reduce Size MMC card、登録商標）、Transflashカード（登録商標）、Sカード（S card、登録商標）、Memory-Stick  Duo（登録商標）などのように、ＣＰＵあるいはメモリー用のＩＣが内臓されたＩＣカードが挙げられる。
本実施例のカードコネクタ１０には、上側にＭＳ  Ｍｉｃｒｏ（登録商標）カード６０が挿入でき、下側にＳＤ  Ｍｉｃｒｏ（登録商標）カード６２が挿入できる構造になっている。（但し、一度２枚は挿入できなく、どちらか一方のカードが挿入されていると、他方のカードは挿入できない。）
【００１１】
まず、本発明のポイント部分であるプレート２０について説明する。このプレート２０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１２】
前記プレート２０は略板状片をしており、幅方向両側には前記ハウジング１２の軸受３６と軸着する軸４６が設けられている。前記軸４６は前記ハウジング１２の軸受３６と軸着することにより回動（回転）でき、回動（回転）した際に前記プレート２０と前記ハウジング１２によりどちらか一方のカードが挿入できるスペース（挿入口２４）を形成できればよい。前記軸４６の位置や大きさは、このような役割やカードコネクタ１０の大きさや回動（回転）性等を考慮して適宜設計する。
【００１３】
前記プレート２０には、前記コンタクトＡ１４が入る厚み方向に貫通した係止孔４２が前記コンタクトＡ１４の本数分だけ設けられている。前記係止孔４２の位置は、前記プレート２０が前記ハウジング１２に軸着された際にＭＳ  Ｍｉｃｒｏ（登録商標）カード６０の接点と合致するようになっており、大きさは前記プレート２０が回動（回転）した際に前記コンタクトＡ１４と接することがないように前記コンタクトＡ１４より０．０５〜０．１ｍｍ程度大きくしている。
また、前記係止孔４２のカード挿入方向側には、前記コンタクトＡ１４の先端部分１４４と係合する係合部４４が設けられている。このように、前記プレート２０と前記コンタクトＡ１４とを係合させることにより、カードが挿入されてない状態では常に前記プレート２０は前記コンタクトＡ１４の弾性力により上側（シェル１８）に位置し、下側に挿入されるＳＤ  Ｍｉｃｒｏ（登録商標）カード６２のスペース（挿入口２４）を確保し、かつ、前記コンタクトＡ１４の座屈を防止している。前記係合部４４の大きさは前記コンタクトＡ１４の先端部分１４４が係合し、上記の状態に前記プレート２０を維持（カードが挿入されてない状態）できれば如何なるものでもよい。このような状態に前記プレート２０を維持（カードが挿入されてない状態）し、ＳＤ  Ｍｉｃｒｏ（登録商標）カード６２のスペース（挿入口２４）を確保するため、前記プレート２０の厚み方向下側には、ＳＤ  Ｍｉｃｒｏ（登録商標）カード６２の幅に合うような凹４８が設けられている。
【００１４】
カードが挿入されてない状態では常に前記プレート２０は上側に位置しているため、上側にＭＳ  Ｍｉｃｒｏ（登録商標）カード６０を挿入する際に挿入し易いように、カード挿入方向側の上面に誘い部４０を設けた方がよい。前記誘い部４０の形状はＭＳ  Ｍｉｃｒｏ（登録商標）カード６０を誘い易くするためのものであり、誘い易ければ如何なるものでもよく、テーパやＣ面取りやＲ形状が考えられるが、本実施例ではテーパにしている。前記誘い部４０の大きさは、ＭＳ  Ｍｉｃｒｏ（登録商標）カード６０が誘い易ければ如何なるものでもよい。
【００１５】
前記プレート２０には、上側に入るＭＳ  Ｍｉｃｒｏ（登録商標）カード６０の挿入が容易になり、かつ、上側の挿入されるＭＳ  Ｍｉｃｒｏ（登録商標）カード６０の挿入スペースを確保できるようにするため、上（シェル１８）方向への回動（回転）を抑止する回動抑止手段が設けられている。回動抑止手段としては、このような役割が満足できればよく、本実施例では前記プレート２０の前記誘い部４０側の幅方向の一方側に係止突起５０を設け、前記シェル１８に係合孔３８を設け、前記係止突起５０を前記係合孔３８に係合させることにより上（シェル１８側）方向への回動（回転）を抑止している。前記係止突起５０の形状としては、本実施例では円柱にしているが、抑止できれば如何なる形状でもよい。また、前記係止突起５０の位置や大きさは、前記係止突起５０を前記係合孔３８に係合させることができ、かつ、上（シェル１８側）方向への回動（回転）を抑止できれば如何なるものでもよく、適宜設計している。
【００１６】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１７】
前記ハウジング１２には、２つの側壁２６と奥壁２８とこれらの側壁２６と奥壁２８と連設する下壁３０とを有しており、２つの側壁２６と奥壁２８と下壁３０とによりそれぞれの前記メモリカードの挿入口２４を形成している。
厳密には、それぞれのカードが挿入される挿入口２４は、前記ハウジング１２と該ハウジング１２に軸着された前記プレート２０を回動（回転）することによりどちらか一方側のカードが入る挿入口２４を形成できる構造になっている。つまり、カードが挿入されたない状態では、下側のＳＤ  Ｍｉｃｒｏ（登録商標）カード６２のスペース（挿入口２４）が形成され、上側にカードが挿入され、かつ、前記プレート２０が回転した状態では上側の挿入されるＭＳ  Ｍｉｃｒｏ（登録商標）カード６０の挿入スペース（挿入口２４）が形成されている。
また、前記ハウジング１２にはそれぞれのカード６０、６２に対応するコンタクトＡ１４及びコンタクトＢ１６が装着され、一体成型や圧入や引っ掛け（ランス）や溶着等によって固定されている。本実施例では、前記コンタクトＡ１４を圧入で、前記コンタクトＢ１６を一体成型によって固定している。
【００１８】
前記ハウジング１２には、ＭＳ  Ｍｉｃｒｏ（登録商標）カード６０に対応するコンタクトＡ１４の接続部１４３が前記カード挿入方向と反対側に突出し、ＳＤ  Ｍｉｃｒｏ（登録商標）カード６２に対応するコンタクトＢ１６の接続部１６３が前記カード挿入方向側に突出するように配置され、それぞれのコンタクト１４、１６に対応する位置に各々の挿入孔３２、３２が設けられている。（本実施例では前記コンタクトＢ１６は一体成型によって固定しているため、前記コンタクトＢ１６用の挿入孔３２は設けられてない。）
【００１９】
前記ハウジング１２の両側の側壁２６内側には、ＭＳ  Ｍｉｃｒｏ（登録商標）カード６０を前記コンタクトＡ１４方向へ導くためのガイド溝３４が設けられている。前記ガイド溝３４の大きさは、ＭＳ  Ｍｉｃｒｏ（登録商標）カード６０の厚みより０．１ｍｍ程度大きくしている。カードが挿入されてない状態では常に前記プレート２０は上側に位置しているため、前記ガイド溝３４と前記プレート２０に設けた誘い部４０とが相まって、ＭＳ  Ｍｉｃｒｏ（登録商標）カード６０の挿入がし易くなる。
【００２０】
前記ハウジング１２には、前記アンテナ端子２２が挿入される挿入溝３３が設けられている。前記アンテナ端子２２は、一体成型や圧入や引っ掛け（ランス）や溶着等によって固定されている。本実施例では圧入によって固定している。
前記ハウジング１２には、前記プレート２０の軸４６に対応する位置に軸受３６が設けられている。前記軸受３６は前記プレート２０が回動（回転）すればよく、前記軸受３６の形状、大きさは前記プレート２０が回動（回転）するように適宜設計する。
【００２１】
次に、コンタクトＡ１４及びコンタクトＢ１６について説明する。このコンタクトＡ１４及びコンタクトＢ１６は金属製であり、公知技術のプレス加工によって製作されている。前記コンタクトＡ１４及び前記コンタクトＢ１６の材質としては、バネ性や導電性などが要求されるので、黄銅やベリリウム銅やリン青銅等を挙げることができる。前記コンタクトＡ１４及び前記コンタクトＢ１６は、主に、メモリカードの接点に接触する接触部１４１、１６１と前記ハウジング１２に固定される固定部１４２、１６２と基板に接続される接続部１４３、１６３とを有している。前記コンタクトＡ１４及び前記コンタクトＢ１６は、図５（Ｂ）及び（Ｄ）のように所要数配置されており、カード保護や接触タイミングをずらすために複数本はシーケンス構造にしている。本実施例では、前記コンタクトＡ１４は１１本のうち２本（図５（Ｂ）の右から３本面と４本目）がグランドコンタクトとしての役割を持ち、他のコンタクト（信号用）が接触する前にＭＳ  Ｍｉｃｒｏ（登録商標）カード６０に接触することで静電対策を行っている。つまり、カード６０を静電気から保護している。本実施例では、前記コンタクトＢ１６は８本のうち３本（図５（Ｄ）の両端と左から３本目）がグランドコンタクトとしての役割を持ち、この３本は基板を介して導通している。両端の２本はＳＤ  Ｍｉｃｒｏ（登録商標）カード６２を抜去する際に初めに非接触状態にあるようにし、図５（Ｄ）の左から３本目はＳＤ  Ｍｉｃｒｏ（登録商標）カード６２が挿入された際に最初に接触するようにすることで、カードの保護を行っている。他の５本は信号用のコンタクトであるが、シーケンス構造にすることで接触タイミングをずらすことで読み込みや書き込みを容易に行えるようにしている。
【００２２】
前記コンタクトＡ１４は、ＭＳ  Ｍｉｃｒｏ（登録商標）カード６０に対応するものであり、コンタクトＡ１４の接続部１４３は、基板の回路設計や占有面積やコネクタ１０の大きさ及び設計を考慮して適宜設計している。本実施例では、コンタクト１４の接続部１４３はカード挿入側と反対側に突出するように設けられ、図１のように表面実装（ＳＭＴ）タイプになっている。前記コンタクトＡ１４には、前記接続部１４３と反対側端に先端部分１４４が設けられ、該先端部分１４４は前記プレート２０の係合部４４と係合するようになっている。係合させた役割は、上述したとおりである。前記コンタクトＡ１４の接触部１４１は、ＭＳ  Ｍｉｃｒｏ（登録商標）カード６０の接点と接触し易いように湾曲させている。
【００２３】
前記コンタクトＢ１６は、ＳＤ  Ｍｉｃｒｏ（登録商標）カード６２に対応するものであり、コンタクトＢ１６の接続部１６３は、基板の回路設計や占有面積やコネクタ１０の大きさ及び設計を考慮して適宜設計している。本実施例では、コンタクトＢ１６の接続部１６３はカード挿入側に突出するように設けられ、図１のように表面実装（ＳＭＴ）タイプになっている。前記コンタクトＢ１６の接触部１６１は、ＳＤ  Ｍｉｃｒｏ（登録商標）カード６２の接点と接触し易いように湾曲させている。
【００２４】
次に、アンテナ端子２２について説明する。このアンテナ端子２２は金属製であり、公知技術のプレス加工によって製作されている。前記アンテナ端子２２の材質としては、バネ性や導電性などが要求されるので、黄銅やベリリウム銅やリン青銅等を挙げることができる。前記アンテナ端子２２は、主に、メモリカードの接点に接触する接触部２２１と前記ハウジング１２に固定される固定部２２２とを有している。
【００２５】
前記アンテナ端子２２は、ＳＤ  Ｍｉｃｒｏ（登録商標）カード６２に対応するものであり、前記アンテナ端子２２の接触部２２１がＳＤ  Ｍｉｃｒｏ（登録商標）カード６２の接点と接触した段階で、信号を電波で飛ばしている。
一方のカード６０を挿入した際に、前記プレート２０が回動（回転）し、前記プレート２０によってアンテナ端子２２が前記コンタクトＢ１６側に押圧されるので、前記コンタクトＢ１６と前記アンテナ端子２２間の隙間が狭くなるために、前記コンタクトＡ１４と前記アンテナ端子２２との間のノイズ対策に繋がる。
前記アンテナ端子２２は前記コンタクトＢ１６（図５（Ｄ）の左端）に対して、厚み方向で略並行に配置されている。
【００２６】
本実施例では、挿入されたそれぞれのカード６０、６２を抜去する際は手で抜いているが、抜去の方法としては、図示はしないが、イジェクト方式やプッシュ方式も考えられる。抜去の方法としては、仕様やコネクタ１０の小型化やカードの保護等を考慮して適宜設計する。イジェクト方式とは別部品としてイジェクトボタンを用いるもので、プッシュ方式とは所謂ハートカムを所定の位置に設けて、カードを更に押し込むことで抜去する構造である。本実施例では、略Ｊ字形状をした板状片２１を、前記ハウジング１２の一方の側壁２６に移動可能に装着し、所謂ハートカムと組み合わせることでプッシュ方式（抜去する際はカードを押すとカードが飛び出す機構）により挿入されたカードの抜去を行っている。
【００２７】
図１１に基づいて、カードのプッシュアウト構造について説明する。図１１（Ａ）から（Ｉ）はコイルばね２３の先端がハートカム状の切込み溝５２を移動する状態を現したものである。本実施例ではコストや組立し易さやコネクタの小型化を考慮して、前記板状片２１とコイルばね２３とハートカムを使用する方法を使用している。前記ハウジング１２の幅方向のどちらか一方の側壁に、略カート形状をした切込み溝５２を設け、該切込み溝５２にコイルばね２３の先端を係合させるとともに前記コイルばね２３のもう一方端を前記板状片２１に保持する。挿入される前記カードの端面が前記板状片２１の端面に接し、前記カードが挿入されると前記カードの端面で前記板状片２１の端面を押すことになる。前記カードが挿入される前（抜去された後）の状態では、前記コイルばね２３の先端はＸ位置に（図１１（Ａ）及び（Ｉ）の状態）あり、前記カードが完全に挿入された状態では、前記コイルばね２３の先端はＹ位置に（図６（Ｅ）の状態）ある。前記カードを抜去する際には前記カードを幾分押すこと（つまり前記板状片２１を押すことになる）で、前記コイルばね２３の先端は矢印「Ｚ」側を通り、前記コイルばね２３の先端はＸ位置に移動し、前記トレイ１６は前記コイルばね２３の弾性力によって抜去される。前記トレイ１６を挿入する際には、前記コイルばね２３を前記トレイ１６で押圧することで前記コイルばね２３の先端は矢印「Ｚ’」側を通り、前記コイルばね２３の先端はＹ位置に移動し、前記カードの挿入が完了する。
【００２８】
最後に、シェル１６について説明する。このシェル１６は金属製であり、公知技術のプレス加工によって製作されている。前記シェル１６の材質としては、加工性や半田付け性などが要求されるので、黄銅やベリリウム銅やリン青銅やステンレス鋼等を挙げることができる。
前記シェル１６は断面略Ｕ字形状をしており、カード保持や上側に挿入されるＭＳ  Ｍｉｃｒｏ（登録商標）カード６０の浮き防止や接触安定やノイズ対策や前記カードコネクタ１０を基板に確実に固定するためのものである。
【００２９】
前記シェル１８には、上側に入るＭＳ  Ｍｉｃｒｏ（登録商標）カード６０の挿入が容易になり、かつ、上側の挿入されるＭＳ  Ｍｉｃｒｏ（登録商標）カード６０の挿入スペースを確保できるようにするため、上（シェル１８）方向への回動（回転）を抑止する回動抑止手段が設けられている。この回動抑止手段としては、このような役割が満足できればよく、本実施例では前記プレート２０の前記誘い部３６側の幅方向の一方側に係止突起５０を設け、前記ハウジング１２に係合孔３８を設け、前記係止突起５０を前記係合孔３８に係合させることにより上（シェル１８側）方向への回動（回転）を抑止している。前記係合孔３８は前記シェル１８に略Ｌ字形状をした弾性片３７を設け、該弾性片３７の先端側に設けられている。前記係合孔３８の形状としては、本実施例では楕円の孔にしているが、抑止でき、前記シェル１８の係止突起５０と係合できれば如何なる形状でもよい。また、前記係合孔３８の位置や大きさは、前記係止突起５０を前記係合孔３８に係合させることができ、かつ、上（シェル１８側）方向への回動（回転）を抑止できれば如何なるものでもよく、適宜設計している。
【００３０】
上側にＭＳ  Ｍｉｃｒｏ（登録商標）カード６０が挿入されると、ＭＳ  Ｍｉｃｒｏ（登録商標）カード６０が前記弾性片３７を外側に押圧し、前記弾性片３７の係合孔３８が前記プレート２０の係止突起５０から外れ、前記プレート２０は下側方向へ回動（回転）する。逆に、下側にＳＤ  Ｍｉｃｒｏ（登録商標）カード６２が挿入されると、ＳＤ  Ｍｉｃｒｏ（登録商標）カード６２が前記弾性片３７を押圧することがないので、上（シェル１８）方向へ回動（回転）することがない。結果的に、上（シェル１８）方向への回動（回転）を抑止することになる。前記シェル１８の前記弾性片３７及び前記係合孔３８と前記プレートの係止突起５０との位置関係は、このような役割を考慮して適宜設計している。つまり、上側にＭＳ  Ｍｉｃｒｏ（登録商標）カード６０が挿入されると前記係止突起５０より前記係合孔３８は一度外れるが、上側からＭＳ  Ｍｉｃｒｏ（登録商標）カード６０が抜去されるときには前記プレート２０が正規の位置（カード６０の挿入前の状態）に戻ってから前記弾性片３７が変位し、前記係合孔３８が前記係止突起５０に係合する。
【００３１】
本実施例においては、上側にＭＳ  Ｍｉｃｒｏ（登録商標）カード６０が挿入でき、下側にＳＤ  Ｍｉｃｒｏ（登録商標）カード６２が挿入できる構造（但し、一度２枚は挿入できなく、どちらか一方のカードが挿入されていると、他方のカードは挿入できない。）になっている組み合わせについて説明した。言うまでもなく、２枚の奥行き方向の長さがほぼ同一のカードであれば如何なる組み合わせでもよい。
【産業上の利用可能性】
【００３２】
本発明の活用例としては、携帯電話・ＰＤＡやプリンター・カードリーダーなどの各種電子・電気機器に使用され、メモリカードを挿入してメモリカードと信号入出力可能なカードコネクタに活用され、特に奥行き方向の長さが同一で、幅・厚さが異なる別々の２枚のカードを挿入するだけ接続可能な接続構造に関するものである。
【図面の簡単な説明】
【００３３】
【図１】（Ａ）  挿入方向からみた本発明のカードコネクタの斜視図である。（Ｂ）  挿入方向と反対側からみた状態の本発明のカードコネクタの斜視図である。
【図２】（Ａ）  挿入方向からみた一方のカードが装着された状態のカードコネクタの斜視図である。（Ｂ）  挿入方向からみたもう一方のカードが装着された状態のカードコネクタの斜視図である。
【図３】（Ａ）  シェルを外した状態の挿入方向からみた本発明のカードコネクタの斜視図である。（Ｂ）  シェルを外した状態の挿入方向と反対側からみた状態の本発明のカードコネクタの斜視図である。
【図４】（Ａ）  誘い部方向からみたプレートの斜視図である。（Ｂ）  誘い部と反対側からみたプレートの斜視図である。
【図５】（Ａ）  コンタクトＡの単体の斜視図である。（Ｂ）  コンタクトＡを配列した状態の斜視図である。（Ｃ）  コンタクトＢの単体の斜視図である。（Ｄ）  コンタクトＢを配列した状態の斜視図の斜視図である。
【図６】（Ａ）  カード挿入方向からみたハウジングの斜視図である。（Ｂ）  カード挿入方向と反対側からみた状態のハウジングの斜視図である。
【図７】（Ａ）  カード挿入方向からみたシェルの斜視図である。（Ｂ）  カード挿入方向と反対側からみた状態のシェルの斜視図である。
【図８】アンテナ端子の斜視図である。
【図９】（Ａ）  カードが挿入されたない状態のカードコネクタの断面図である。（Ｂ）  一方のカードが挿入された状態のカードコネクタの断面図である。（Ｃ）  もう一方のカードが挿入された状態のカードコネクタの断面図である。
【図１０】コンタクトＡの先端部分がプレートの係合部に係合した状態の部分断面図である。
【図１１】カードのプッシュアウトを説明する図面である。
【符号の説明】
【００３４】
１０            カードコネクタ
１２            ハウジング
１４            コンタクトＡ
１４１          接触部
１４２          固定部
１４３          接続部
１４４          先端部分
１６            コンタクトＢ
１６１          接触部
１６２          固定部
１６３          接続部
１８            シェル
２０            プレート
２１            板状片
２２            アンテナ端子
２２１          接触部
２２２          固定部
２２３          接続部
２３            コイルばね
２４            挿入口
２６            側壁
２８            奥壁
３０            下壁
３２            挿入孔
３３            挿入溝
３４            ガイド溝
３６            軸受
３７            弾性片
３８            係合孔
４０            誘い部
４２            係止孔
４４            係合部
４６            軸
４８            凹
５０            係止突起
５２            切込み溝
６０            ＭＳ  ＳＤカード
６２            ＳＤ  Ｍｉｃｒｏカード
【図１】
2008021484.tif 000003
【図２】
2008021484.tif 000004
【図３】
2008021484.tif 000005
【図４】
2008021484.tif 000006
【図５】
2008021484.tif 000007
【図６】
2008021484.tif 000008
【図７】
2008021484.tif 000009
【図８】
2008021484.tif 000010
【図９】
2008021484.tif 000011
【図１０】
2008021484.tif 000012
【図１１】
2008021484.tif 000013